(57)【要約】      （修正有）【課題】ＯＣＴシステムを広視野ＳＬＯ内に統合して、被験者網膜のあらゆる部分に関する構造情報を取得する。【解決手段】眼球の網膜を撮像するための走査型レーザー・オフサルモスコープがコリメート光源１２、走査装置１４，１６、走査転送装置２０及び検出器を具え、走査転送装置２０は、仮想点光源が設けられる第１焦点１６及び眼球を置くことができる第２焦点２４を有し、走査転送装置２０は、仮想点光源からの二次元コリメート光走査を眼球内に転送する。光学コヒーレンス・トモグラフィーＯＣＴシステムをＳＬＯと組み合わせ、ＯＣＴシステムはＯＣＴ参照ビーム及びＯＣＴサンプルビームを提供し、ＯＣＴサンプルビームは、ＳＬＯコリメート光の光路と同じ光路に沿って、走査転送装置２０を通って伝搬する。収差補償器が、走査素子１４，１６及び走査転送装置２０によって導入される系統的な収差及び／または波面の変化を自動的に補正する。【選択図】図２
2018108400.tif 000002
【特許請求の範囲】
【請求項１】
眼球の網膜を走査する走査型オフサルモスコープであって、
仮想点光源からの二次元コリメート光走査を協働して行うコリメート光源及び走査装置
と；
走査転送装置と；
光学コヒーレンス・トモグラフィー（ＯＣＴ）システムと；
収差補償器とを具え、
前記走査転送装置は、第１焦点及び第２焦点を具え、当該第１焦点に前記仮想点光源が
設けられ、当該第２焦点に前記眼球を置くことができ、前記走査転送装置は、前記仮想点
光源からの二次元コリメート光走査を前記眼球内に転送し、
前記ＯＣＴシステムは、ＯＣＴ参照ビーム及びサンプルビームを協働して提供する放射
源及び光学系を具え、前記サンプルビームは、前記コリメート光源によって放出されて前
記走査転送装置を通って伝搬する光の光路と同じ光路の少なくとも一部分に沿って伝搬し
、
前記収差補償器は、前記走査装置及び前記走査転送装置によって走査角の関数として導
入される系統的な収差及び／または波面変化を自動的に補償することを特徴とする走査型
オフサルモスコープ。
【請求項２】
前記収差補償器は、前記ＯＣＴシステムの前記放射源によって放出される照射の波面を
変化させて、前記走査素子及び前記走査転送装置によって走査角の関数として導入される
収差及び波面変化を補償するための波面符号化手段を具えていることを特徴とする請求項
１に記載の走査型オフサルモスコープ。
【請求項３】
前記波面符号化手段は、走査中継手段及び前記走査転送手段を通る伝搬後に、網膜表面
上の入力ＯＣＴ信号の空間的広がりが最小化されるように、入射ビームの空間的性質及び
／または入射ビーム波面の形状を変化させるための装置を具えていることを特徴とする請
求項２に記載の走査型オフサルモスコープ。
【請求項４】
前記波面符号化手段は、走査視野内のあらゆる点においてビーム径を最適化するための
可変倍率段を具えていることを特徴とする請求項２または３に記載の走査型オフサルモス
コープ。
【請求項５】
前記波面符号化手段は、可変焦点素子を具えていることを特徴とする請求項２〜４のい
ずれかに記載の走査型オフサルモスコープ。
【請求項６】
前記波面符号化手段は、液体レンズ、適応レンズ、空間光変調器、可変位置のレンズま
たはレンズ系、適応光学系から成るグループからの少なくとも１つを具えていることを特
徴とする請求項５に記載の走査型オフサルモスコープ。
【請求項７】
前記収差補償器は、サンプル経路長と参照経路長とが前記走査全体を通して一致したま
まであるように、ＯＣＴ参照アームの光路長を変化させる手段を具えていることを特徴と
する請求項１〜６のいずれかに記載の走査型オフサルモスコープ。
【請求項８】
前記ＯＣＴ参照アームの光路長を変化させる手段が、電動直線平行移動ステージを具え
、これにより、前記光路長を増加または減少させて、前記走査全体を通してサンプルアー
ムの経路長と一致させることを特徴とする請求項７に記載の走査型オフサルモスコープ。
【請求項９】
前記ＯＣＴ参照アームの光路長を変化させる手段が、調整可能な経路長制御を行うため
の一連の回転光学素子を具え、これにより、前記光路長を増加または減少させて、前記走
査全体を通して前記サンプルアームの経路長と一致させることを特徴とする請求項８に記
載の走査型オフサルモスコープ。
【請求項１０】
前記ＯＣＴ参照アームの光路長を変化させる手段が、入力サンプル経路長と一致するよ
うに選択的に有効にすることができる可変経路長の一連の固定経路を具えていることを特
徴とする請求項７に記載の走査型オフサルモスコープ。
【請求項１１】
前記ＯＣＴ参照アームの光路長を変化させる手段がフィードバック・メカニズムを具え
、これにより、走査の期間中に前記光路長を自動的に変化させて、走査の期間中に、前記
光路長の変化を補償することを特徴とする請求項７〜１０のいずれかに記載の走査型オフ
サルモスコープ。
【請求項１２】
前記ＯＣＴ参照アームの光路長を変化させる手段が、走査の期間中に前記光路長を、各
サンプル間で、離散ステップで自動的に変化させる手段を具えていることを特徴とする請
求項７〜１１のいずれかに記載の走査型オフサルモスコープ。
【請求項１３】
前記収差補償器が、可変位相遅延段を具え、これにより、信号ビームと前記参照ビーム
との偏光状態を、走査全体を通して一致させることを特徴とする請求項１〜１２のいずれ
かに記載の走査型オフサルモスコープ。
【請求項１４】
前記可変位相遅延段が、ＯＣＴ参照アーム内に設けられていることを特徴とする請求項
１３に記載の走査型オフサルモスコープ。
【請求項１５】
前記位相遅延段が、波長板；一連の波長板；ソレイユバビネ補償器；ストレス誘導型複
屈折コントローラ、のうちの１つを具えている
ことを特徴とする請求項１３または１４に記載の走査型オフサルモスコープ。
【請求項１６】
前記走査転送装置が楕円面鏡を具えていることを特徴とする請求項１〜１５のいずれか
に記載の走査型オフサルモスコープ。
【請求項１７】
前記網膜からの光反射を検出して、前記網膜の走査領域の像を生成するための光検出器
をさらに具えていることを特徴とする請求項１〜１６のいずれかに記載の走査型オフサル
モスコープ。
【請求項１８】
前記走査装置が、第１走査素子及び第２走査素子を具えていることを特徴とする請求項
１〜１７のいずれかに記載の走査型オフサルモスコープ。
【請求項１９】
前記第２走査素子の回転軸が、前記走査転送装置の前記２つの焦点を結ぶ直線に略平行
または略垂直であることを特徴とする請求項１８に記載の走査型オフサルモスコープ。
【請求項２０】
前記第１走査素子の回転軸が、前記走査転送装置の前記２つの焦点を結ぶ直線に略平行
または略垂直であることを特徴とする請求項１８または１９に記載の走査型オフサルモス
コープ。
【請求項２１】
前記ＯＣＴの前記放射源が、前記光路に沿った前記第１走査素子の前方の位置に設けら
れていることを特徴とする請求項１８〜２０のいずれかに記載の走査型オフサルモスコー
プ。
【請求項２２】
前記ＯＣＴの前記放射源が、前記光路に沿った前記第１素子の後方、かつ前記第２走査
素子の前方に設けられていることを特徴とする請求項１８〜２０のいずれかに記載の走査
型オフサルモスコープ。
【請求項２３】
前記ＯＣＴの前記放射源が、別個の入力経路を介して設けられ、前記走査転送手段を介
して、前記走査型オフサルモスコープのビームに対して任意の角度に指向されることを特
徴とする請求項１〜２２のいずれかに記載の走査型オフサルモスコープ。
【請求項２４】
眼球の網膜を走査する方法であって、
仮想点光源からの二次元コリメート光走査を協働して行うコリメート光源及び走査装置
を用意するステップと；
第１及び第２焦点を有する走査転送装置を用意するステップであって、前記第１焦点に
前記仮想点光源が設けられ、前記第２焦点に眼球を置くことができ、前記走査転送装置が
、前記仮想点光源からの前記二次元コリメート光走査を前記眼球内に転送するステップと
；
光学コヒーレンス・トモグラフィー（ＯＣＴ）システムを用意するステップであって、
当該ＯＣＴシステムが、ＯＣＴ参照ビーム及びサンプルビームを協働して提供する放射源
及び光学系を具え、前記サンプルビームが、前記コリメート光源によって放出され前記走
査転送装置を通って伝搬する光の光路と同じ光路の少なくとも一部分に沿って伝搬するス
テップと；
前記走査装置及び前記走査転送装置によって走査角の関数として導入される系統的な収
差及び／または波面変化を補償するステップと
を含むことを特徴とする方法。
【請求項２５】
前記収差を補償するステップが、前記ＯＣＴの前記放射源によって放出される照射の波
面を変化させて、前記走査装置及び前記走査転送装置によって導入される収差及び倍率変
化を補償することを含むことを特徴とする請求項２４に記載の方法。
【請求項２６】
前記収差を補償するステップが、サンプル経路長と参照経路長とが網膜走査の全範囲に
わたって一致したままであるように、ＯＣＴ参照アームの光路長を変化させることを含む
ことを特徴とする請求項２４または２５に記載の方法。
【請求項２７】
前記収差を補償するステップが、信号ビーム及び前記参照ビームの偏光状態が走査の全
範囲にわたって一致したままであるように、前記ＯＣＴの照射の位相を制御することを含
むことを特徴とする請求項２４〜２６のいずれかに記載の方法。
【発明の詳細な説明】
【技術分野】
【０００１】
本発明は、走査型レーザー・オフサルモスコープ（ＳＬＯ：scanning laser ophthalmo
scope）における改良または走査型レーザー・オフサルモスコープに関する改良に関する
ものであり、特に、広視野構造的な網膜撮像能力の、走査型レーザー・オフサルモスコー
プへの導入に関するものである。
【背景技術】
【０００２】
光学コヒーレンス・トモグラフィー（ＯＣＴ：optical coherence tomography）を用い
て被験者の網膜構造を撮像することは周知である。ＯＣＴは干渉技術であり、この技術に
よって、照射源を被験者の眼球に向けて指向させて、反射ビーム、あるいはサンプルアー
ムを被制御の参照アームと結合させ、これにより、結合ビームの干渉特性を用いて、撮像
した網膜の構造を測定して表示する。
【０００３】
走査型レーザー・オフサルモスコープ（ＳＬＯ）を用いて被験者の網膜を撮像して、網
膜の像を複数波長で得ることも周知であり、ここでは特定波長が網膜の特定層を表す。
【０００４】
近年、広視野ＳＬＯが利用可能になった。これらの装置では、照射器からの光をラスタ
ー（水平走査）様式で走査し、１つ以上の光学素子によって転送して、被験者の網膜上で
一次元のコリメート光走査を行う。
【０００５】
広視野ＳＬＯの１つの具体例は、２つの焦点を具えた光学素子（例えば楕円面鏡）を用
いて、一次元コリメート光走査を網膜上で行って、走査された照射が、眼球の瞳孔におけ
る仮想走査光源として見えるようにする。
【０００６】
広視野ＳＬＯの代わりの具体例は、反射光学素子を用いて、被験者の瞳孔の周りに広角
視野を生成するか、従来のＳＬＯの視野を拡張することができる。
【０００７】
標準的な狭視野ＳＬＯをＯＣＴシステムと統合して設けることは既知である。ＳＬＯ光
学器による共焦点眼底像とＯＣＴ光学器によるトモグラフィー像との同時測定は、操作の
効率をもたらし、単一の手順からより多くの情報を生成することができることを意味する
。
【０００８】
しかし、ＯＣＴ撮像システムの、広視野撮像システムまたは広視野ＳＬＯ内への内蔵は
実現されていなかった。このことは、光学系における光学収差及び位相効果、及び広視野
システム内に生じる被験者の眼球の生理的及び光学的特性の変化が、サンプルビームの集
光及び参照ビームとの再結合の効率を低下させて、干渉計測データセットを乱し、従って
、被験者網膜の構造情報を乱すからである。その結果、こうしたモダリティ（医療撮像）
の診断上の有用性をサポートするのに必要なデータ完全性及び画質が低下する。
【先行技術文献】
【非特許文献】
【０００９】
【非特許文献１】Mujat et al. ”High resolution multimodal clinical ophthalmic imaging system”, Optics Express, 2010年5月24日, 18(11), 11607-11621
【発明の概要】
【発明が解決しようとする課題】
【００１０】
ＯＣＴシステムを広視野ＳＬＯ内に統合して、被験者網膜のあらゆる部分に関する構造
情報を取得して、広視野眼底像からの情報を補完しサポートする実際的方法を可能にする
ための改良の必要性が存在する。
【課題を解決するための手段】
【００１１】
本発明の第１の態様によれば、眼球の網膜を走査する走査型オフサルモスコープが提供
され、この走査型オフサルモスコープは、仮想点光源からの二次元コリメート光走査を協
働して行うコリメート光源及び走査装置と；走査転送装置と；光学コヒーレンス・トモグ
ラフィー（ＯＣＴ）システムと；収差補償器とを具え、走査転送装置は第１及び第２焦点
を具え、第１焦点に仮想点光源が設けられ、第２焦点に眼球を置くことができ、これによ
り、走査転送装置は、仮想点光源からの二次元コリメート光走査を眼球内に転送し、ＯＣ
Ｔシステムは、ＯＣＴ参照ビーム及びサンプルビームを協働して提供する放射源及び光学
系を具え、サンプルビームは、ＳＬＯのコリメート光源によって放出されて走査転送装置
を通って伝搬する光の光路と少なくとも部分的に同一である光路に沿って伝搬し、収差補
償器は、ＯＣＴ参照ビーム及びサンプルビームの完全性を保証する。
【００１２】
ＯＣＴ参照ビーム及びサンプルビームの「完全性を保証する」ことは、最適な網膜サン
プリング、及びサンプルビームと参照ビームとの良好な再結合に必要な条件が維持される
ことを意味する。特定の好適例では、（素子の組合せとすることができる）収差補償器が
、走査素子及び走査転送装置によって導入される収差及び波面変化を、走査角の関数とし
て補償すべく機能する。
【００１３】
なお、網膜撮像用途における適応光学器の使用は、以前に、例えばMujat et al. ”Hig
h resolution multimodal clinical ophthalmic imaging system”, Optics Express, 20
10年5月24日, 18(11), 11607-11621（非特許文献１）中に提案されている。しかし、これ
らの既知の例では、適応光学器は、被験者の眼球内に生じる収差である眼球収差を検出し
補正するように設計されているに過ぎない。こうした適応光学器は、光学系の素子によっ
て導入される収差または波面変化の問題に、自動化された費用効果的な方法で応えていな
い。走査角の関数として固定的かつ系統的であるこれらの収差は、効果的なサンプリング
及びその後のＯＣＴ信号の収集を共に妨げる。新規な収差補償器を導入することによって
、本発明は、自動化された高分解能のＯＣＴを、以前の設計では可能でなかった方法で広
視野ＳＬＯと組み合わせることを可能にする。また、ＳＬＯ及びＯＣＴにおける従来の適
応光学器の方法は、閉ループ制御で収差を検出して補正するために、ハートマン・シャッ
ク（Hartmann Shack）波面センサ装置に頼っている。これは、走査の動作と同期した系統
的な収差の補正を設計して組み込むことができ、高価であり、本発明の実現には不要であ
る。
【００１４】
随意的に、上記収差補償器は、ＯＣＴ照射源が放出する照射の波面を変化させて、走査
素子及び走査転送装置によって走査角の関数として導入される収差及び波面変化を補償す
るための波面符号化手段を具えている。
【００１５】
随意的に、上記波面符号化手段は、走査中継手段及び上記走査転送手段を通る伝搬後に
、網膜表面上の入力ＯＣＴ信号の空間的広がりが最小化されるように、入射ビームの空間
的性質（空間特性）及び／または入射ビーム波面の形状を変化させるための装置を具えて
いる。
【００１６】
随意的に、上記波面符号化手段は、走査視野内のあらゆる点においてビーム径を最適化
するための可変倍率段を具えている。
【００１７】
随意的に、上記波面符号化手段は可変焦点素子を具えている。
【００１８】
随意的に、上記波面符号化手段は、液体レンズ、適応レンズ、空間光変調器、可変位置
のレンズまたはレンズ系、適応光学系から成るグループからの少なくとも１つを具えてい
る。
【００１９】
随意的に、上記収差補償器は、サンプル経路長と参照経路長とが、上記走査全体を通し
て、例えば網膜走査の全範囲にわたって一致したままであるように、ＯＣＴ参照アームの
光路長を変化させる手段を具えている。
【００２０】
随意的に、上記ＯＣＴ参照アームの光路長を変化させる手段が、電動直線平行移動ステ
ージを具え、これにより、上記光路長を増加または減少させて、走査全体を通してサンプ
ルアームの経路長と一致させることができる。
【００２１】
随意的に、上記ＯＣＴ参照アームの光路長を変化させる手段が、調整可能な経路長制御
を行うための一連の回転光学素子を具え、これにより、上記走査全体を通してサンプルア
ームの経路長と一致するように、上記光路長を増加または減少させることができる。
【００２２】
随意的に、上記ＯＣＴ参照アームの光路長を変化させる手段が、入力サンプル経路長と
一致するように選択的に有効にすることができる可変経路長の一連の固定経路を具えてい
る。
【００２３】
随意的に、上記ＯＣＴ参照アームの光路長を変化させる手段がフィードバック・メカニ
ズムを具え、これにより、走査の期間中にこの光路長を自動的に変化させて、走査対象全
体にわたって光路長変化を補償することができる。
【００２４】
随意的に、上記ＯＣＴ参照アームの光路長を変化させる手段が、走査の期間中にこの光
路長を、各サンプル間で、離散ステップで自動的に変化させる手段を具えている。
【００２５】
随意的に、上記収差補償器が可変位相遅延段を具え、これにより、信号ビームと参照ビ
ームとの偏光状態を、上記走査全体を通して一致させる。
【００２６】
随意的に、上記可変位相遅延段がＯＣＴ参照アーム内に設けられている。
【００２７】
随意的に、上記位相遅延が、波長板；一連の波長板；ソレイユバビネ（soleil-babinet
）型補償器；ストレス誘導型複屈折コントローラ、のうちの１つを具えている。
【００２８】
上述した走査転送装置による２つの焦点の提供は、反射光学素子（例えば楕円面鏡）ま
たは屈折光学素子（例えばレンズ系）のいずれかに基づくシステム用に達成することがで
きることも明らかである。実際に、上記走査転送装置は、反射光学素子と屈折光学素子と
の混合物を有する混成システムを具えることもできる。
【００２９】
随意的に、上記走査転送装置は、非球面鏡、楕円面鏡、一対のパラボラ鏡または一対の
放物面鏡を具えている。例えば、楕円面鏡は、超広視野走査を可能にするが、極限の走査
角では収差を導入し、こうした収差は、網膜の周辺領域からのＯＣＴ像の取得を無効にす
る。
【００３０】
随意的に、上記走査型オフサルモスコープは、走査中継装置をさらに具え、上記コリメ
ート光源、上記走査装置、及びこの走査中継装置が組み合わさって、上記仮想点光源から
の二次元コリメート光走査を行う。
【００３１】
随意的に、上記走査中継装置は２つの焦点を具え、上記走査中継装置の１つの焦点は、
上記走査転送装置の１つの焦点と一致する。
【００３２】
随意的に、上記走査中継装置は、楕円鏡、非球面鏡、及び楕円面鏡、一対のパラボラ鏡
または一対の放物面鏡を具えている。
【００３３】
随意的に、上記走査転送装置は１つ以上の屈折光学素子を具え、上記走査装置の走査角
がこれらの屈折光学素子によって変化し、被験者の眼球は、これらの屈折光学素子の焦点
に置くことができる。
【００３４】
随意的に、上記１つ以上の屈折光学素子は、レンズまたはレンズの径を具えている。
【００３５】
随意的に、上記走査装置は第１走査素子及び第２走査素子を具えている。
【００３６】
随意的に、上記第２走査素子の回転軸は、上記走査転送装置の２つの焦点を結ぶ直線に
略平行または略垂直である。
【００３７】
随意的に、上記第１走査素子の回転軸は、上記走査転送装置の２つの焦点を結ぶ直線に
略平行または略垂直である。
【００３８】
随意的に、上記仮想点光源からの二次元コリメート光走査を行うに当たり、上記走査中
継装置は垂直走査成分を生成し、上記走査転送装置の２つの焦点を結ぶ直線は、上記走査
中継装置によって生成される上記垂直走査成分によって規定される平面上に実質的に存在
するか、上記走査中継装置によって生成される上記垂直走査成分によって規定される平面
に直交するかのいずれかである。
【００３９】
随意的に、上記走査型オフサルモスコープは、網膜から反射した光を検出して網膜の走
査領域の像を生成するための光検出装置を、さらに具えている。
【００４０】
随意的に、上記ＯＣＴ放射源が、上記光路に沿った上記第１走査素子の前方の位置に設
けられている。
【００４１】
随意的に、上記ＯＣＴ放射源が、上記光路に沿った上記第１走査素子の後方かつ上記第
２走査素子の前方に設けられている。
【００４２】
随意的に、上記ＯＣＴ放射源が、別個の入力経路を介して設けられ、上記走査転送手段
を介して、上記ＳＬＯビームに対して任意の角度に指向される。
【００４３】
本発明の第２の態様によれば、眼球の網膜を走査する方法が提供され、この方法は：仮
想点光源からの二次元コリメート光走査を協働して行うコリメート光源及び走査装置を用
意するステップと；第１及び第２焦点を有する走査転送装置を用意するステップであって
、第１焦点に仮想点光源が設けられ、第２焦点に眼球を置くことができ、走査転送装置が
、仮想点光源からの二次元コリメート光走査を眼球内に転送するステップと；光学コヒー
レンス・トモグラフィー（ＯＣＴ）システムを用意するステップであって、このＯＣＴシ
ステムは、ＯＣＴ参照ビーム及びサンプルビームを協働して提供する放射源及び光学系を
具え、このサンプルビームが、ＳＬＯのコリメート光源によって放出され走査転送装置を
通って伝搬する光の光路と少なくとも部分的に同一である光路に沿って伝搬するステップ
と；収差を補償して、ＯＣＴの参照ビーム及びサンプルビームの完全性を保証するステッ
プとを含む。
【００４４】
随意的に、上記収差を補償するステップが、上記ＯＣＴ照射源によって放出される照射
の波面を変化させて、上記走査素子及び上記走査転送装置によって導入される収差及び倍
率変化を補償することを含む。
【００４５】
随意的に、上記収差を補償するステップが、サンプル経路長と参照経路長とが網膜走査
の全範囲にわたって一致したままであるように、上記ＯＣＴ参照アームの光路長を変化さ
せることを含む。
【００４６】
随意的に、上記収差を補償するステップが、信号ビーム及び参照ビームの偏光状態が走
査の全範囲にわたって一致したままであるように、ＯＣＴ照射の位相を制御することを含
む。
【００４７】
上述した第１の態様の種々の特徴の各々は、本発明による方法の対応する態様を生み出
すこともでき、例えば、上述した種々の装置を用意する、及び／または使用するステップ
を含むが、これに限定されない。
【００４８】
以下、本発明の実施形態を、ほんの一例として、添付した図面を参照しながら説明する
。
【図面の簡単な説明】
【００４９】
【図１】二次元コリメート光の走査を被験者の眼球内に転送する走査転送装置を設けた、本発明による走査型レーザー・オフサルモスコープ（ＳＬＯ）を示す光学的概略図である。
【図２】第１及び第２走査素子、走査中継装置、及び走査転送装置を具えた、本発明の代案実施形態によるＳＬＯを示す光学的概略図である。
【図３】ＳＬＯと光学コヒーレンス・トモグラフィー（ＯＣＴ）を組み合わせた狭視野システムを例示する図である。
【図４】ＳＬＯとＯＣＴを組み合わせた広視野撮像システムの実施形態を例示する図であり、光路中の第１走査素子の前方でＯＣＴ源とＳＬＯ源を組み合わせている。
【図５】ＳＬＯとＯＣＴを組み合わせた広視野撮像システムの実施形態を例示する図であり、光路に沿って、第１走査素子の後方に、但し走査補償器及び第２走査素子の前方に、ＯＣＴ及びＳＬＯの照射源を組み合わせている。
【図６】ＳＬＯとＯＣＴを組み合わせた広視野撮像システムの実施形態を例示する図であり、ＳＬＯ源とは別個の入力経路を介してＯＣＴ源を設けている。
【図７】照射制御の態様を例示する図であり、収差補償用に使用される調整可能なレンズを示す。
【図８】図４、５、及び６に示すＳＬＯ光学系及びＯＣＴ光学系の適切なレイアウトを例示する図である。
【発明を実施するための形態】
【００５０】
好適な実施形態の詳細な説明
図１に、広視野走査型レーザー・オフサルモスコープ（ＳＬＯ）１の実現を示し、ＳＬ
Ｏ１は、コリメート光源１２、走査素子１６を具えた走査装置、及び走査転送装置２０を
含む。コリメート光源１２は、走査装置及び走査転送手段を介して患者に向けて指向され
、これにより、超広視野の走査角が患者の瞳孔面２４において達成される。本開示では、
「広視野」とは、一次元または二次元において５０度を超える走査角を称するのに対し、
「超広視野」は、網膜のほぼ全体をカバーする走査を称すべく用いる。このコリメート光
源は、ＳＬＯ用途向けのレーザーとすることができ、あるいは、ＯＣＴの場合は、超発光
ダイオード（ＳＬＤ：superluminescent diode）とすることができる。
【００５１】
しかし、単周波レーザーダイオード、垂直キャビティ面発光レーザー、あるいは十分な
強度を有し、十分にコリメートされ、かつ適切な網膜照射を生成する他の光源のような、
あらゆる適切なコリメート光源を用いることができることは明らかである。ＯＣＴ用途で
は、網膜層を結果的な干渉計測データと区別するために必要な短いコヒーレンス長により
、ＳＬＤを用いることができる。このＳＬＤは、走査システムに至る標準的なファイバま
たは偏向維持ファイバ内に、自由空間結合またはファイバ結合することができる。
【００５２】
走査素子１６は、ガルバノミラーのような振動平面鏡とすることができる。その代わり
に、走査素子１６はＭＥＭＳ（micro-electromechanical system：微小電気機械システム
）ミラーとすることができる。その代わりに、走査素子１６は、回転ミラー、プリズム、
またはポリゴンミラー（多面鏡）とすることができる。その代わりに、走査素子１６は、
共振ミラーとすることができる。走査素子１６は、レーザービーム１３の二次元コリメー
ト光走査を生成することができる。
【００５３】
図２を参照すれば、広視野走査型レーザー・オフサルモスコープ（ＳＬＯ）１０が、コ
リメート光源１２、走査装置、走査中継装置１８、及び走査転送装置２０を含む。走査装
置は、第１走査素子１４及び第２走査素子１６を具えている。
【００５４】
本明細書に記載する実施形態では、コリメート光源１２が、走査素子、走査中継手段及
び走査転送手段を介して患者に向けて指向され、これにより、被験者の瞳孔面２４上で超
広視野の走査角が達成される。このコリメート光源は、ＳＬＯ用途向けのレーザーとする
ことができ、あるいは、ＯＣＴの場合は、超発光ダイオードとすることができる。しかし
、単周波レーザーダイオード、垂直キャビティ面発光レーザー、波長掃引レーザー源、パ
ルスレーザー源、あるいは十分な強度を有し、十分にコリメートされ、かつ適切な網膜照
射を生成する他の光源のような、あらゆる適切なコリメート光源を用いることができるこ
とは明らかである。ＯＣＴ用途では、網膜層を結果的な干渉計測データと区別するために
必要な短いコヒーレンス長の理由で、ＳＬＤを用いることができる。このＳＬＤは、走査
システムに至る標準的なファイバまたは偏光維持ファイバ内に、自由空間結合またはファ
イバ結合することができる。掃引レーザー源は、ＯＣＴ用途でも用いることができ、これ
により、光源の波長を所定範囲全体にわたって調整する。
【００５５】
第１走査素子１４は、ガルバノミラーのような振動面鏡とすることができる。その代わ
りに、第１走査素子はＭＥＭＳミラーとすることができる。その代わりに、第１走査ミラ
ーは、回転ミラー、プリズム、またはポリゴンスキャナとすることができる。その代わり
に、第１走査ミラーは共振ミラーとすることができる。その代わりに、第１走査素子を、
上記の単一素子または２素子の構成にして、点１４における二次元走査を行って、二次元
走査パターンを走査中継器１８に与えることができる。この構成では、第１走査素子が、
垂直、水平、あるいはパターン化された二次元走査を、第２走査素子上のある点に対して
走査中継器を介して行うことができる。
【００５６】
第２走査素子１６は、ガルバノミラーのような振動面鏡とすることができる。その代わ
りに、第２走査素子はＭＥＭＳミラーとすることができる。その代わりに、第２走査ミラ
ーは、回転ミラー、プリズム、またはポリゴンスキャナとすることができる。その代わり
に、第２走査ミラーは共振ミラーとすることができる。第１走査ミラー１４の光軸及び第
２走査ミラー１６の光軸は、二次元コリメート光走査を、レーザービーム１３のラスター
スキャン（水平走査）の形態で生成するように配置されている。第１走査ミラーと第２走
査ミラーとの位置合わせは、直角、ほぼ直角にすることができ、あるいは、走査中継手段
及び走査転送手段の周りに任意の走査形状を生成することができる。
【００５７】
第２スキャナミラー１６は、複数の、第２の一次元または二次元のコリメート光走査を
行い、この発明の実施形態では、これらの走査は、レーザービーム１３の、水平の一次元
走査、垂直の一次元走査、あるいは任意の二次元パターンを含む。
【００５８】
図２に、第１走査ミラー１４の１回の振動によって生成される一次元走査におけるレー
ザービーム１３の経路を例示する。経路Ａは、回転の視点において、ガルバノミラー１４
から反射したレーザービームの例であり；経路Ｂは、回転の中間点において、第１走査ミ
ラー１４から反射したレーザービームの例であり、経路Ｃは、回転の終点において、第１
走査ミラー１４から反射したレーザービームの例である。
【００５９】
こうして、第１走査ミラー１４及び第２走査ミラー１６が協働して、二次元のコリメー
ト光走査を、ラスター走査パターンの形態で、空間２４内の単一点から生成する。
【００６０】
第１及び第２走査ミラー１４、１６は、振動の振幅及び振動の回転オフセットを含む動
作パラメータを有する。これらの動作パラメータは、振動の速度も含む。これらの動作パ
ラメータの両者を選択して、仮想点光源からの二次元コリメート光走査の方向及びパター
ンを制御することができる。
【００６１】
第１及び第２スキャナ１４、１６は、網膜上の走査レーザービーム１３のセンタリング
（または離心率）を調整することができる回転マウント（図示せず）内に収容することが
でき、この回転マウントは、撮像視野を網膜全体にわたって「移動させる」能力を提供す
る。
【００６２】
走査中継装置１８は２つの焦点を有する。本明細書に記載する実施形態では、走査中継
装置１８が楕円面鏡であり、スリットミラーと称する。しかし、走査中継装置１８は代わ
りの形態を有することができることは明らかである。
【００６３】
第１走査ミラー１４は、走査中継装置１８の第１焦点に配置され、共振スキャナ１６は
、走査中継装置１８の第２焦点に配置されている。
【００６４】
走査転送装置２０は、楕円面鏡の形態の非球面鏡とすることができ、そして主鏡と称す
ることができる。主鏡２０は２つの焦点を有する。本明細書に記載及び図示する実施形態
では、主鏡２０は、網膜上の垂直及び水平方向の両方に２００度（即ち、２００度×２０
０度）の視野（外角）を提供するように構成されている。しかし、主鏡の走査転送装置は
、大幅に小さいか大幅に大きい視野を、水平及び垂直方向の両方に提供するように構成す
ることができることは明らかである。
【００６５】
第２スキャナ１６は、主鏡２０の第１焦点に配置することもできる。被験者の眼球２４
は、主鏡２０の第２焦点に配置される。
【００６６】
こうして、レーザービーム１３は、第１及び第２走査素子１４、１６、スリットミラー
１８、及び主鏡２０を通して、被験者の眼球２４に伝達される。上記走査型オフサルモス
コープは、こうした被験者の網膜の走査を、眼球の散大していない２mmの瞳孔を通して行
うことができる。しかし、ＳＬＯも、例えば８mmの散大した瞳孔を通して眼球の網膜の走
査を行うことができることは明らかである。
【００６７】
ＳＬＯ１０の構成要素は、上記仮想点光源が眼球の瞳孔に静止するように配置されてい
る。このことは、被験者の眼球２４の網膜からの反射光のビームが、ＳＬＯ１０の光路を
通って戻るように伝達されることを補償する。この反射光を用いて、被験者の網膜の像を
既知の方法で生成し、あるいは、ＯＣＴの場合は、サンプルアームの照射を、ＯＣＴ干渉
計に戻るように提供する。
【００６８】
スリットミラー１８及び主鏡２０の離心率の良く考慮された一致は、完全な走査の直線
性からの正常な偏差を提供する。眼球の光軸からの角度の関数としての対称な偏差は、網
膜上の距離測定値のソフトウェアによる単純な補償、及び適切に認識可能な網膜表示の表
現を可能にする。
【００６９】
ＳＬＯ１０の構成要素は、第１スキャナ１６の回転軸が主鏡２０の２つの焦点を結ぶ直
線２５に略平行になるように配置することができ、これにより、レーザービーム１３は、
スリットミラー１８の副軸全体にわたって走査される。さらに、仮想点光源からの二次元
コリメート光走査を行うに当たり、第１走査ミラー１４は、スリットミラー１８上に入射
する一次元または二次元走査を生成する。従って、スリットミラー１８も一次元または二
次元走査を生成する。ＳＬＯ１０の構成要素は、主鏡２０の２つの焦点を結ぶ直線２５が
、スリットミラー１８によって生成される一次元垂直走査によって規定される平面上に実
質的に存在するように配置されている。こうした構成要素の配置は、多数の利点を提供す
る。
【００７０】
光学コヒーレンス・トモグラフィー（ＯＣＴ）を用いて網膜像を捕捉することは既知で
ある。このことは、照射源からの放射が参照ビームとサンプルビームとに分割される干渉
計測技術である。サンプルビームは、撮像されるサンプルに向けて指向され、そして、反
射（または透過）光が参照ビームと再結合される。結果的な干渉パターンが、基になる構
造の像を形成することができる基礎を形成する。
【００７１】
ＯＣＴは、一般に近赤外（ＮＩＲ：near-infrared）放射と共に使用され、このことは
、生物組織の表面下の撮像を可能にし、これは、例えば共焦点顕微鏡法のような他の非接
触技術で実現することができる撮像の深度に比べて相対的に深い。
【００７２】
狭視野走査型レーザー・オフサルモスコープと光学コヒーレンス・トモグラフィー機器
とを組み合わせた概略図を、図３に示す。ここではＯＣＴ光学系が設けられ、ＯＣＴ光学
系は、ＯＣＴビームをＳＬＯの光路内に投入する。
【００７３】
超発光ダイオード（ＳＬＤ）のような光源５００をファイバ／干渉計ネットワーク５０
２に指向させ、ファイバ／干渉計ネットワーク５０２は、ＯＣＴファイバ５０６及び分光
計５０６を提供する。ＯＣＴファイバ５０６は、光をローカルＯＣＴスキャナ５１４に指
向させ、ローカルＯＣＴスキャナ５１４は、例えば、Ｘ及びＹの走査ミラーを含むガルバ
ノメーターとすることができる。
【００７４】
走査素子５１４は、照射を、ホットミラー５１８へ向けて指向させ、照射は、レンズボ
ックスのような走査中継器５２０を通ってその先へ進み、さらに患者位置合わせ（アライ
メント）モジュール５２２を通って患者の眼球５２４へ進む。モジュール５２２は、光信
号の投射により患者固定ターゲット（目標）を提供し、この光信号は、例えば可視のＬＥ
Ｄ５２６及び固定ＬＥＤ５２８で構成することができる。
【００７５】
ローカルなＳＬＯは、スプリッタ５０８を経由したＯＣＴ照射からの戻り信号を用いて
導出することができ、スプリッタ５０８は、この戻り照射をローカルＳＬＯファイバ５１
２内及び光検出器５１０に指向させ、光検出器５１０を用いて、詳細なＳＬＯ像をＯＣＴ
の取得と組み合わせて生成することができる。
【００７６】
図３のシステムは、ビームスプリッタ５４０、患者位置合わせカメラ５４２、及び光源
５４４も具え、光源５４４は有機ＬＥＤまたは適切な代替品とすることができる。
【００７７】
ＳＬＯ像とＯＣＴ像との組合せは、反射による眼底撮像と網膜の構造撮像とを組み合わ
せて、総合的な診断能力を提供する。上記走査型レーザー・オフサルモスコープは、高解
像度画像及び網膜トラッキングを、ＯＣＴ走査前、ＯＣＴ走査中、及びＯＣＴ走査後に提
供し；視神経円板の周りの円形ＯＣＴ撮像領域の位置を追跡して、ＯＣＴ走査が正確に位
置決めされることを保証することができる。そして、ＳＬＯは、患者の網膜の変化を測定
するための追加検査中に同じ位置から走査が得られることを保証することができる。
【００７８】
ＳＬＯ共焦点眼底像及びＯＣＴ像は共に、同じ光学器を通して生成することができ、画
素と画素を対応させることができ、このことは、精密なＯＣＴの位置合わせ及び配向を保
証する。
【００７９】
広視野ＳＬＯシステムは、走査中継装置及び走査転送装置を具え、これらは例えば楕円
面鏡とすることができる。これらの装置は収差を導入し、これらの収差は、像を得るため
に参照ビームとサンプルビームとの間で維持しなければならない種々のパラメータの正確
な一致によるＯＣＴ能力の統合を妨げる。具体的には、走査角の関数としてのミラー光学
器の曲率半径の変化が、網膜上に入射するビームの焦点特性の変化を生じさせて、横方向
及び軸方向の分解能を低下させ、このことは、網膜構造の細部を解明する能力を大幅に低
下させる。これに加えて、この曲率半径の変化は、戻りＯＣＴ光をＯＣＴエンジン内に効
果的に再結合させ、これにより戻りＯＣＴ光が参照アームと再結合して必要な干渉フリン
ジを生成する能力も低下させる。これに加えて、上記広角の走査は、入力及び戻りの偏光
の変化を生じさせ、こうした変化は、サンプルアームと参照アームとを効果的に再結合す
るために補償しなければならない。これに加えて、広角の走査は、サンプルアーム内の光
路長の大幅な変化も導入する。この変化を補正しなければ、範囲、従って視野が大幅に制
限され、広視野撮像が不可能になる。
【００８０】
本発明は、ＯＣＴ撮像装置の、広視野走査型レーザー・オフサルモスコープシステム内
への内蔵を提供する。このことは、広視野撮像システムの一部を形成する走査中継装置及
び走査転送装置の光学収差を補償し、広視野走査全体にわたってサンプルアームの光路長
変化を補償するように設計された補正メカニズムの内蔵によって実現される。
【００８１】
例えば、図２に示す構成では、上記コリメート光源が、走査中継装置及び走査転送装置
の楕円部分の主軸を通して走査される際に、このコリメート光源に収差が導入される。こ
の収差は、一次フォーカル収差及び非点収差が支配的である。一般に、あらゆる非球面反
射素子または広視野伝送系の使用が、必然的に、走査ビームに収差を導入する。
【００８２】
ＯＣＴ走査エンジンは、照射源、及び垂直及び水平走査手段を具え、これにより、この
走査エンジンが二次元走査ＯＣＴ光源を提供することができる。
【００８３】
その代わりに、指向された一次元ＯＣＴ光源を設けることができる。
【００８４】
上記装置は、ＯＣＴサブシステムの仮想点光源が、ＳＬＯ光源と共に、第２走査素子に
おける同位置に配置されるように構成することができる。
【００８５】
上記ＯＣＴ撮像システムは、種々の異なる構成で提供することができる。選択肢のいく
つかの例を図４、５及び６に図示し、これらの図は、図２に示す種類のＳＬＯシステムと
併合されたＯＣＴ撮像システムを示す。
【００８６】
図４に、第１例の構成を例示し、ここではＯＣＴビームとＳＬＯビームとが、第１走査
素子１４の前方で結合される。この構成では、ＳＬＯ照射源１２、第１走査素子１４、第
２走査素子１６、走査中継装置１８、及び走査転送装置２０が前のように設けられている
。照射器１２はレーザービーム１３を放出することができる。これに加えて、ＯＣＴ光学
器９００が設けられている。ＯＣＴ光学器９００は、ファイバで伝達されるＯＣＴ光源か
らのコリメートビームをＯＣＴ干渉計経由で提供し、これにより、放出されるビーム９０
２がＯＣＴサンプルビームを形成する。このＯＣＴ光学器はローカル走査光学器も含み、
これにより、ＯＣＴ走査点を、走査中継手段及び走査転送手段を通して患者の網膜に中継
することができる。
【００８７】
一例では、ＯＣＴ光学器９００用に使用される照射源が、超発光ダイオード（ＳＬＤ）
を具え、ＳＬＤは、例えばＮＩＲ-ＩＲスペクトルのあらゆる領域上で動作することがで
きる。その代わりに、ＯＣＴ光学器用に使用される照射源は、掃引レーザー源またはパル
スレーザー源とすることができる。
【００８８】
この構成では、２Ｄ ＯＣＴ走査システムが、第１走査素子１４を介して走査中継装置
１８及び走査転送装置２０を走査するように伝搬される。
【００８９】
ＯＣＴ走査システム内の光学系は、上記仮想点光源が第１走査素子１４と同位置に配置
されるようにＯＣＴ照射を伝搬する。次に、ＯＣＴ照射を網膜の全体に指向させることが
でき、網膜の全体は、走査素子１４，１６の組合せによって対象とすることができ、ある
いは、走査素子１４、１６の固定角設定によって、ＯＣＴ照射を網膜の小部分に指向させ
ることができる。
【００９０】
さらに、対象とされた網膜の上記小部分を、２Ｄ ＯＣＴ走査システム内の上記統合走
査手段を介して撮像し、これにより、網膜の広視野の２Ｄ及び３Ｄ像用、あるいは目標の
網膜の２Ｄまたは３Ｄ小部分用のユーティリティを提供することができる
【００９１】
図５に、第２例の構成を示し、ここでは、第１走査素子１４の後方であるが第２走査素
子１６の前方で、ＯＣＴビームとＳＬＯビームとが結合される。この構成では、ＯＣＴ照
射が、走査中継装置１８及び追加的光学素子１０００を通して第２走査素子１６に指向さ
れ、追加的光学素子１０００は、例えばビームスプリッタとすることができる。
【００９２】
光学的レイアウトは、上記仮想点光源が、走査転送装置２０の１つの焦点に相当する第
２走査素子１６に位置するようにする。次に、ＯＣＴ照射を網膜の全体に指向させ、網膜
の全体は、走査素子１６の回転によって、ＯＣＴ光学器９００内の光学素子の回転によっ
て、あるいは、ＯＣＴ光学アセンブリの回転によって、対象とすることができる。これに
加えて、第２走査素子１６、及びＯＣＴ光学器９００内に統合されたＯＣＴ走査システム
の固定角設定によって、ＯＣＴ照射を網膜の小部分に指向させることができる。
【００９３】
さらに、対象とする網膜の小部分を、２Ｄ ＯＣＴ走査システム内に統合された走査手
段によって撮像し、これにより、広視野の２Ｄ及び３Ｄ網膜像、あるいは目標とする網膜
の２Ｄまたは３Ｄの小部分用のユーティリティを提供することができる。
【００９４】
図６に、第３例の構成を示し、この例では、ＯＣＴビームとＳＬＯビームとが上記走査
素子上で直接結合される。この構成では、ＳＬＯ像及びＯＣＴ像が網膜上の同一点上にあ
る必要はない。ＯＣＴ照射は第２走査素子１６に直接結合され、これにより、上記仮想点
光源は、走査転送装置２０の１つの焦点に相当する第２走査素子１６の所に位置する。こ
の経路は、走査中継装置１８及び第１走査素子１４とは無関係である。
【００９５】
次に、ＯＣＴ照射を網膜の全体に指向させることができ、網膜の全体は、走査素子１６
の回転によって、ＯＣＴ光学器９００内の光学素子の回転によって、あるいはＯＣＴ光学
アセンブリの回転によって対象とすることができる。これに加えて、第２走査素子１６、
及びＯＣＴ光学器９００内に統合されたＯＣＴ走査システムの固定角設定によって、ＯＣ
Ｔ照射を網膜の小部分に指向させることができる。
【００９６】
さらに、対象とする網膜の小部分を、２Ｄ ＯＣＴ走査システム内に統合された走査手
段によって撮像し、これにより、広視野の２Ｄまたは３Ｄ網膜像、あるいは目標とする網
膜の２Ｄまたは３Ｄの小部分用のユーティリティを提供することができる。
【００９７】
上記構成の各々において、ＯＣＴ照射は、走査中継装置１８または走査転送装置２０の
いずれかまたは両方の楕円部分の一部分全体を走査するか、あるいはこの一部分に指向さ
せることができる。換言すれば、ＯＣＴ照射は、少なくとも１つの、一部の実施形態では
少なくとも２つの非球面光学素子から反射しなければならない。
【００９８】
入力ＯＣＴ照射の焦点状態及び倍率は、上記楕円素子の主軸に沿った走査角の関数とし
て系統的に変化する。種々の変化を列挙することができ、その各々が、画質に対する特有
の影響を有する。
【００９９】
第１に、網膜上の焦点を維持すべきである。スポット径が増加するに連れて、信号が急
速に低下するので、このことを考慮すべきである。
【０１００】
第２に、網膜信号（即ち、被験者の網膜から反射して戻り、画像データの基礎を形成す
る照射）を、ＯＣＴシステムに適正に戻して結合すべきである。即ち、戻り信号のコリメ
ーションを、ＯＣＴファイバ・コリメータ上に入射する際に維持して、ビームがこのファ
イバ上に正確に焦点を結んで、干渉計に伝送されるようにすべきである。戻り光を信号経
路内に再結合する前に、戻りビームにおける収差が補償されなければ、信号は急速に低下
する。
【０１０１】
第３に、網膜をＯＣＴシステムの深度範囲内に保たなければならない。このことは、空
間領域内でのＯＣＴ撮像にも、掃引光源（時間領域及び符号化された周波数領域）ＯＣＴ
にも当てはまる。
【０１０２】
第４に、（計測器類、及び検査中の患者の網膜の）複数の反射面、及び、ビームの走査
の結果として生じる急速に変化する入射角が、位相が変化する影響、及び／または、偏光
が変化する影響をもたらす。こうした偏光／位相の変化は、ＯＣＴシステムのサンプルビ
ームと参照ビームとの干渉を無効にすることがあり、この干渉は、画像を再生するために
必要である。
【０１０３】
第５に、システム全体の倍率が、走査視野の関数として変化し、このことは、角膜のス
ポットサイズを変化させ、従って、網膜のスポットサイズを変化させ、従って、ＯＣＴシ
ステムの分解能を変化させる。
【０１０４】
これに加えて、網膜ＯＣＴの最適な横方向分解能を提供するために、照射系の実現に当
たりトレードオフが存在する。一般に、角膜におけるスポットサイズが大きいほど、網膜
面内のスポットサイズが小さくなる。しかし、上述した光学系を通した広視野撮像の関係
では、角膜面におけるビーム径が大きいほど、走査転送手段、あるいは楕円面主鏡の面に
おけるビーム径も大きくなることを意味する。ミラーの楕円形状に起因して、スポットサ
イズが大きくなるに連れて、ビームはより大きな収差をもたらす。こうした収差の補正は
、より大きなスポットサイズの利点を可能にし、従って、空間分解能の増加を可能にする
。
【０１０５】
広視野ＳＬＯシステムと統合されたＯＣＴシステムのあらゆる実際用途向けに、これら
の課題の１つ以上を解決するか、少なくとも部分的に解決する必要がある。
【０１０６】
こうした本発明は収差補償器を提供し、この収差補償器は、ＯＣＴの参照ビーム及びサ
ンプルビームが広視野ＳＬＯ撮像システムを通る際に、これらのビームの完全性を保証す
る。収差補償器とは、単一の素子または素子の複合系のいずれをも包含することを意図し
ている。その機能素子は、光路に沿った１点に配置するか、異なる点に分布させることが
できる。
【０１０７】
この収差補償器は、照射光源の波面を走査と同期して変化させるための波面符号化手段
を具えることができる。
【０１０８】
この波面符号化手段を用いて、（ＯＣＴビームの）焦点を網膜上に維持して、網膜信号
がＯＣＴシステムに適正に戻って結合されることを保証することができる。この波面符号
化手段は、ＯＣＴ光学器９００の照射源と第２走査ミラーとの間に設けることができる。
【０１０９】
１つの実施形態によれば、この波面符号化手段は、照射源を設けた可変焦点素子を具え
るか、可変焦点素子を照射源の所に具えて、この照射源が放出する照射の制御を行うこと
ができる。
【０１１０】
この可変焦点素子は、電磁界の選択的印加によって焦点状態を制御することができる液
体レンズ、適応素子の選択的ストロークによって焦点状態を制御することができる適応レ
ンズ、あるいはレンズ素子の相対的位置決めによって焦点状態が制御される可変位置のレ
ンズまたはレンズ系とすることができる。レンズ調整メカニズムは、圧電アクチュエータ
または他の等価物のような適切なアクチュエータによって駆動することができる。
【０１１１】
代案実施形態では、可変位置レンズ系が個別のレンズ素子を具えることができ、これら
のレンズ素子は、液体レンズまたは適応レンズの一方または他方とすることができる。入
力ビームの焦点及び倍率を、ＳＬＯ／ＯＣＴ装置の走査に同期して変化させることができ
る限り、素子のあらゆる可能な組合せを含めることができる。
【０１１２】
さらに、上記波面符号化手段は、入力波面を変化させて焦点制御及びより高次の収差を
補償するための素子を具えることもできる。この素子は、空間光変調器（ＳＬＭ：spatia
l light modulator）または他素子の適応光学面とすることができ、これにより、入力ビ
ームが調整されて、走査中継器からの収差が走査に同期して補償される。
【０１１３】
走査中継器からの収差は、中継形式の関数であり、既知である。このため、波面符号化
手段の制御は、フレーム走査における所定位置に対して要求される制御パラメータを含む
ルックアップ・テーブル（早見表）によって生成することができる。
【０１１４】
その代わりに、上記波面符号化手段は、閉ループ系によって制御することができ、これ
により、フリンジの視認性または干渉計測データ信号を最大にするように波面が最適化さ
れる。
【０１１５】
上記制御パラメータのルックアップ・テーブルは、コンピュータ・プログラム、あるい
はデジタルシグナルプロセッサのような組込みソリューション（解決策）によって適用す
ることができ、こうしたルックアップ・テーブルを用いて、収差補償用の角度依存性の制
御信号を発生することができる。例えば、この信号は、動的レンズを駆動するための電圧
信号、レンズ変位を駆動するためのステッパモータ信号、あるいは適応補正ソリューショ
ンを駆動するためのマルチアクチュエータ信号を含むことができる。
【０１１６】
図７に、本発明の実施形態の動作を例示し、ここで、ビームがファイバ伝達１２００を
介してシステム内に導入され、レンズ１２０１においてコリメートされる。素子１２０２
は、液体レンズ構成要素であり、走査システム内に導入されるビームの焦点状態を制御す
る。素子１２０３は倍率段であり、入力ビームの固定または可変の倍率を、走査システム
に先んじて提供することができる。次に、入力ビームが、ミラー１２０４を介して走査シ
ステムに指向され、ミラー１２０４は、固定ミラーとすることができ、あるいは、多素子
の変形ミラー、多セグメント駆動の膜ミラー、あるいは空間光変調器のような収差補償器
とすることができる。次に、ビームは２Ｄ走査システム１２０５上に渡され、素子１２０
６を経由して広視野中継器１２０７に導入され、広視野中継器１２０６はミラーまたはダ
イクロイック素子とすることができる。
【０１１７】
これに加えて、上記収差補償メカニズムは、ＯＣＴ参照アームの光路長を、走査に同期
した様式で変化させる手段を含むことができる。変化する光路長は、網膜をＯＣＴシステ
ムの深度範囲内に保つことができることを意味するので、このことは、信号の完全性を、
網膜の超広視野全体にわたって保証する。
【０１１８】
使用されるオフセット経路長は、超広視野像内の選択した走査領域に依存し得る。即ち
、システム関係の経路長変化が存在し得る。
【０１１９】
走査中に経路長を自動的に変化させて、走査対象物（網膜）全体にわたって経路長変化
を補償する手段を設けることもできる。このことは、自由空間光路を参照アーム内に導入
することによって実現することができ、自由空間光路の経路長は、連続または離散運動ス
テージの使用によって調整される。例えば、ファイバの参照アームをコリメータに適合さ
せて、自由空間ビームを逆反射器に伝搬させ、この逆反射器は、このビームを、このコリ
メータ経由で上記参照ファイバに戻す。コリメータまたは逆反射器のいずれの光軸上の動
きも、参照アームの経路長全体に変化をもたらす。
【０１２０】
参照アーム内のビーム経路長は、上記自由空間ビーム経路内に設定された屈折プリズム
の回転によって、あるいはその代わりに、開いたビーム経路内に可変キャビティを形成す
る一連の調整可能なミラーによって変化させることができる。追加的な代案として、参照
ビームを、各々が別個の経路長を有する一連のビーム経路内の所定のビーム経路に通して
、所定の走査位置においてサンプルアームの経路長にリンクされる選択可能な参照アーム
長を提供することができる。
【０１２１】
参照アームの経路長は網膜内の経路長に一致させなければならず、網膜内の経路長は、
網膜物体の曲率に起因して、走査時間全体にわたって変化する。参照アームの動きはルッ
クアップ・テーブルによって制御することができ、このルックアップ・テーブルは、走査
角に応じた経路長値を実現し、従ってサンプルアームの経路長を実現する。このルックア
ップ・テーブルは、理論的な眼球モデルから導出された値に固定することができ、あるい
は、特定の患者の処方に応じて可変にすることができる。
【０１２２】
これに加えて、上記収差補償メカニズムは可変位相遅延段を含むことができる。
【０１２３】
フリンジ・コントラストを最大にし、従って、信号を最大にするためには、ＯＣＴシス
テムの干渉計において、参照アーム内及び対象物アーム内の光の偏光（又は位相）を一致
させることが重要である。光学走査システムの位相効果、及び眼球の位相効果も、走査角
の関数として、対象物アームの偏光状態を変化させる影響を与える。
【０１２４】
簡単のため、位相遅延段を参照アーム上に実現して、対象物アームの入力光路内にこう
したメカニズムが入り込むことを回避することが好ましい。しかし、このことは対象物ア
ーム上でも参照アーム上でも実現することができる。
【０１２５】
上記可変位相遅延段は、波長板または一連の波長板を具えることができる。例えば、回
転ステージまたは電動ステージによるこうした波長板の個別調整は、既知の位相変化を、
この波長板を通って伝搬するビームに導入する。このことは、自由空間ビーム内に光路長
制御システムの一部として実現することができる。
【０１２６】
可変位相遅延段の他の実施形態は、ソレイユバビネ型補償器であり、これは、補償器上
に装着された複屈折ウェッジ及び固定ウェッジを具え、この補償器は、ウェッジ要素の互
いに対する調整によって位相遅延の連続変化を可能にし、これにより、複屈折物質を通る
経路長が変化する。
【０１２７】
可変位相遅延段の他の実施形態は、ストレス誘導型複屈折コントローラであり、これに
より、ファイバ上の可変の機械的応力が、可変の度合いの複屈折を導入し、従って位相遅
延を導入する。
【０１２８】
図８に、図４、５及び６に例示するＳＬＯ光学系１２及びＯＣＴ光学系９００に適した
レイアウトの例を示す。超発光ダイオード（ＳＬＤ）のような光源１３００を、ファイバ
／干渉計ネットワーク１３０２に指向させ、ファイバ／干渉計ネットワーク１３０２は、
（可変経路長制御兼位相遅延段を含む）参照アーム１３０３、対象物アームＯＣＴファイ
バ１３０６への出力、及び干渉計１３０４への結合信号を供給する。ＯＣＴファイバ１３
０６は、光を、ビーム収差制御メカニズム１３１６を通してローカルＯＣＴスキャナ１３
１４へ指向させ、ローカルＯＣＴスキャナ１３１４は、例えば、ＭＥＭＳスキャナまたは
ガルバノメーター・スキャナ（「ガルボ（Galvo）」）とすることができ、ビーム収差制
御メカニズム１３１６は、例えば、液体レンズ、空間光変調器、または適応波面コントロ
ーラとすることができる。走査素子１３１４は、照射を、ホットミラー１３１８（ＩＲ遮
断ミラー）へ向けて指向させ、照射は、第２走査素子１３１９を経由し走査中継器１３２
０を通って進み、眼球１３２４へ向かう。
【０１２９】
また、光信号の投射によって患者固定目標を提供する患者位置合わせモジュールまたは
ＰＡＭ（patient alignment module）１３２２は、例えば、可視ＬＥＤ１３２６とするこ
とができる。これに加えて、ビームスプリッタ１３０８を経由したＯＣＴ照射からの戻り
信号を用いて、ローカルなＳＬＯを導出することができ、ビームスプリッタ１３０８は、
この戻り照射を、ローカルＳＬＯファイバ１３１２内及び光検出器１３１０に指向させ、
光検出器１３１０を用いて、詳細なＳＬＯ像をＯＣＴの取得と組み合わせて生成すること
ができる。最後に、図８のシステムは、超広視野ＳＬＯ経路が用いる第１走査素子１３２
８を光学素子１３３２と共に具え、光学素子１３２８は例えばレンズとすることができる
。
【０１３０】
上述したシステムでは、ＯＣＴ像自体を広視野像とすることができ、この広視野像は、
広視野ＳＬＯ像の全範囲まで拡張することができることは明らかである。広視野網膜の関
係範囲内で、対象とするＯＣＴ像を取得することもできる。両者の場合に、収差補償器は
、ＯＣＴシステムを広視野の関係範囲内に統合することを可能にする。
【０１３１】
本発明の精神及び範囲を逸脱することなしに、以上のことに修正及び改良を加えること
ができる。例えば、角倍率を調整すべく楕円中継器の倍率を調整して、いずれかのスキャ
ナの機械的走査角の低下を補償することができる。
【０１３２】
また、以上では、楕円面の結合ミラー１８、２０を説明し図示してきたが、撮像システ
ムの離散波長が与えられるものとすれば、鏡面または従来のレンズ中継器のない回折素子
のような他の結合素子を用いることができることは明らかである。ミラーは、屈折性コー
ティングによる着色効果を低減するので、より良好である。
【０１３３】
また、以上では、ＳＬＯ１０を、中継装置（スリットミラー１８）を含むものとして説
明し図示してきたが、この素子は不可欠ではなく、ＳＬＯ１０が、この素子なしで上述し
たのと同じ利点を提供することができることは明らかである。この構成要素を取り除けば
、ＳＬＯ内でレーザービームを「傾斜」させることが必要になり、このことは、得られる
像に対するいくらかのせん断効果を生じさせる。しかし、こうしたＳＬＯは、まだ、上記
仮想点光源から二次元走査を、より大きな領域６２（即ち網膜）に対するこの仮想点光源
の位置及び選択した動作パラメータにかかわらず、提供することができる。
【０１３４】
さらに、以上では、第１及び第２走査素子１４及び１６を、それぞれガルバノミラー及
び共振スキャナとして説明し図示してきたが、レーザーライン光源または等価物により生
成されるライン走査のような他の適切な走査素子を用いることができることは明らかであ
る。ライン走査は、点走査の有効な代替として用いることができる。ここでは、ライン光
源がライン照射を網膜上に生成し、このライン照射は低速スキャナによって直角に走査さ
れる。このライン照射は、リニア画素アレイによって指向され、この低速スキャナを回転
させることによって２Ｄ像が形成される。
【０１３５】
また、以上では、スリットミラー１８を、２つの焦点を有する楕円面鏡として説明して
きたが、上記走査中継装置は他の形態をとることができることは明らかである。例えば、
走査中継装置は、楕円鏡、一対のパラボラ鏡、一対の放物面鏡、あるいは、これらの構成
要素の任意の組合せを具えることができる。これらの構成要素の構成のあらゆるものによ
って提供される共通の技術的特徴は、走査中継装置が２つの焦点を具え、一次元のコリメ
ート光走査を行うことにある。
【０１３６】
楕円形の構成要素を走査中継装置内に用いる場合、円柱レンズのようなビーム補償素子
を設けることも必要になり得る。
【０１３７】
さらに、上述したＳＬＯ１０の構成は、スリットミラー１８の第１焦点に配置されたガ
ルバノミラー１４、及びスリットミラー１８の第２焦点に配置された共振スキャナ１６を
有するが、ガルバノミラー１４及び共振スキャナ１６の位置は、ＳＬＯ１０の動作に悪影
響することなしに交換することができることは明らかである。
【０１３８】
さらに、ガルバノミラー１４は、レーザービーム１３の垂直走査を行うものとして上述
し、共振スキャナ１６は水平走査を行うものとして上述してきたが、これら２つの素子の
回転軸及び振動を交換して、ガルバノミラー１４がレーザービーム１３の水平走査を行い
、共振スキャナ１６が垂直走査を行うことができることは明らかである。従って、上記第
２走査素子の回転軸は、上記走査転送装置の２つの焦点を結ぶ直線に略平行にすることが
でき、上記走査転送装置の２つの焦点を結ぶ直線は、上記走査中継装置によって生成され
る一次元コリメート光走査によって規定される平面上に実質的に存在することができ；あ
るいは、上記第２走査素子の回転軸は、上記走査転送装置の２つの焦点を結ぶ直線に略垂
直にすることができ、上記走査転送装置の２つの焦点を結ぶ直線は、上記走査中継装置に
よって生成される一次元コリメート光走査によって規定される平面に略垂直にすることが
できる。
【０１３９】
これに加えて、上記本発明の実施形態は、１２０度の光学走査を提供するものとして説
明してきたが、オフサルモスコープ１０は、より小さい角度またはより大きい角度の光学
走査を提供するように構成することができることは明らかである。上述したように、この
ことは、例えば、スリットミラー１８におけるレーザービーム１３で走査される部分の選
択を変化させることによって実現することができる。
【０１４０】
また、上記走査転送装置は楕円鏡を具えることができる。上記走査転送装置は、一対の
パラボラ鏡を具えることができる。上記走査転送装置は、一対の楕円面鏡を具えることが
できる。
【０１４１】
また、上記第２走査素子の回転軸は、上記走査転送装置の２つの焦点を結ぶ直線から約
５度以内にすることができる。上記第２走査素子の回転軸は、上記走査転送装置の２つの
焦点を結ぶ直線から約２度以内にすることができる。上記第２走査素子の回転軸、及び上
記走査転送装置の２つの焦点を結ぶ直線は、上記走査型オフサルモスコープの１つ以上の
構成要素の選定した離心率に依存する平行度を有することができる。上記第２走査素子の
回転軸、及び上記走査転送装置の２つの焦点を結ぶ直線は、上記走査型オフサルモスコー
プのユーザが、このオフサルモスコープによって生成される網膜の像内のシアー（せん断
）の許容可能なレベルに応じて定めた平行度を有することができる。
【０１４２】
また、上記第１走査素子の回転軸は、上記走査転送装置の２つの焦点を結ぶ直線から約
５度以内にすることができる。上記第１走査素子の回転軸は、上記走査転送装置の２つの
焦点を結ぶ直線から約２度以内にすることができる。上記第１走査素子の回転軸、及び上
記走査転送装置の２つの焦点を結ぶ直線は、上記走査型オフサルモスコープの１つ以上の
構成要素の選定した離心率に依存する平行度を有することができる。上記第１走査素子の
回転軸、及び上記走査転送装置の２つの焦点を結ぶ直線は、上記走査型オフサルモスコー
プのユーザが、このオフサルモスコープによって生成される網膜の像内のシアーの許容可
能なレベルに応じて定めた平行度を有することができる。
【０１４３】
さらに、上記走査転送装置の２つの焦点を結ぶ直線は、上記走査中継装置によって生成
される一次元コリメート光走査によって規定される平面から５度以内にすることができる
。上記走査転送装置の２つの焦点を結ぶ直線は、上記走査中継装置によって生成される一
次元コリメート光走査によって規定される平面から約２度以内にすることができる。上記
走査転送装置の２つの焦点を結ぶ直線と、上記走査中継装置によって生成される一次元コ
リメート光走査によって規定される平面とは、上記走査型オフサルモスコープの１つ以上
の構成要素の選定した離心率に依存する一致度を有することができる。上記走査転送装置
の２つの焦点を結ぶ直線と、上記走査中継装置によって生成される一次元コリメート光走
査によって規定される平面とは、上記走査型オフサルモスコープのユーザが、このオフサ
ルモスコープによって生成される網膜の像内のシアーの許容可能なレベルに応じて定めた
一致度を有することができる。
【０１４４】
また、以上には例示していないが、図５の随意的なステップでは、網膜を軸方向に走査
して、三次元画像を生成することができる。
【０１４５】
さらに、以上では、上記第１及び第２走査素子を振動ミラーとして説明し例示してきた
が、上記第１及び第２走査素子がライン走査素子を具えることができることは明らかであ
る。上記ライン走査素子はレーザー・ラインスキャナを具えることができる。このレーザ
ーラインは、回折光学素子、円柱レンズ、あるいは他のレーザーラインを生成する他の既
知の手段によって発生することができる。
【０１４６】
また、以上では、上記走査素子を、上記仮想点光源からの二次元コリメート光走査の方
向を制御することを可能にする動作パラメータを有するものとして説明してきたが、上記
走査素子がライン走査素子（例えば、レーザー・ラインスキャナ）である場合、これらの
動作パラメータは、上記仮想点光源からの二次元コリメート光走査の寸法（即ち、水平／
垂直）を調整するように操作可能である。このことは、走査領域のサイズ及び位置を調整
することを可能にし、従って、走査領域を網膜の周りで効果的に「移動させて」、その像
のモンタージュを得ることを可能にする。なお、ライン走査素子を使用する場合、現在技
術において既知であるように、方向及びＡＯレイアウト・アーキテクチャも修正されるこ
とが重要である。
【図１】
2018108400.tif 000003
【図２】
2018108400.tif 000004
【図３】
2018108400.tif 000005
【図４】
2018108400.tif 000006
【図５】
2018108400.tif 000007
【図６】
2018108400.tif 000008
【図７】
2018108400.tif 000009
【図８】
2018108400.tif 000010
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
眼球の網膜を走査する走査型オフサルモスコープであって、
仮想点光源からの二次元コリメート光走査を協働して行うコリメート光源(12)及び走査装置と；
走査転送装置(20)と；
光学コヒーレンス・トモグラフィー（ＯＣＴ）システムと；
収差補償器とを具え、
前記走査転送装置は、第１焦点及び第２焦点(24)を具え、当該第１焦点に前記仮想点光源が設けられ、当該第２焦点に前記眼球を置くことができ、前記走査転送装置(20)は、前記仮想点光源からの二次元コリメート光走査を前記眼球(524)内に転送し、
前記ＯＣＴシステムは、ＯＣＴ参照ビーム及びＯＣＴサンプルビームを協働して提供する放射源及び光学系を具え、前記ＯＣＴサンプルビームは、前記コリメート光源によって放出されて前記走査転送装置(20)を通って伝搬する光の光路と同じ光路の少なくとも一部分に沿って伝搬し、
前記収差補償器は、前記走査装置及び前記走査転送装置(20)によって走査角の関数として導入される前記ＯＣＴサンプルビームの系統的な収差及び／または波面変化を自動的に補償するように構成され、前記収差補償器は、前記ＯＣＴサンプルビームの光路長と前記ＯＣＴ参照ビームの光路長とが前記走査全体を通して一致したままであるように、前記ＯＣＴ参照ビームの光路長を、前記走査装置によって実行される前記走査に同期した様式で変化させる手段を具えていることを特徴とする走査型オフサルモスコープ。
【請求項２】
前記収差補償器は、前記ＯＣＴサンプルビームの波面を変化させて、前記系統的収差及び／または前記波面変化を補償するための波面符号化手段を具えていることを特徴とする請求項１に記載の走査型オフサルモスコープ。
【請求項３】
前記波面符号化手段は、前記走査装置及び前記走査転送装置(20)を通る伝搬後に、前記網膜上における前記ＯＣＴサンプルビームの空間的広がりが最小化されるように、前記ＯＣＴサンプルビームの空間的性質及び／または前記ＯＣＴサンプルビームの波面の形状を変化させるための装置を具えていることを特徴とする請求項２に記載の走査型オフサルモスコープ。
【請求項４】
前記波面符号化手段は、走査視野内のあらゆる点において前記ＯＣＴサンプルビームのビーム径を最適化するための可変倍率段を具えていることを特徴とする請求項２または３に記載の走査型オフサルモスコープ。
【請求項５】
前記波面符号化手段は、可変焦点素子を具えていることを特徴とする請求項２〜４のいずれかに記載の走査型オフサルモスコープ。
【請求項６】
前記波面符号化手段は、液体レンズ、適応レンズ、空間光変調器、可変位置のレンズまたはレンズ系、適応光学系から成るグループからの少なくとも１つを具えていることを特徴とする請求項５に記載の走査型オフサルモスコープ。
【請求項７】
前記ＯＣＴ参照ビームの光路長を変化させる手段が、電動直線平行移動ステージを具え、これにより、前記ＯＣＴ参照ビームの光路長を増加または減少させて、前記走査全体を通して前記ＯＣＴサンプルビームの光路長と一致させることを特徴とする請求項１〜６のいずれかに記載の走査型オフサルモスコープ。
【請求項８】
前記ＯＣＴ参照ビームの光路長を変化させる手段が、前記ＯＣＴ参照ビームの調整可能な光路長制御を行うための一連の回転光学素子を具え、これにより、前記ＯＣＴ参照ビームの光路長を増加または減少させて、前記走査全体を通して前記ＯＣＴサンプルビームの光路長と一致させることを特徴とする請求項１〜７のいずれかに記載の走査型オフサルモスコープ。
【請求項９】
前記ＯＣＴ参照ビームの光路長を変化させる手段が、前記ＯＣＴサンプルビームの光路長と一致するように選択的に有効にすることができる可変経路長の一連の固定経路を具えていることを特徴とする請求項１〜６のいずれかに記載の走査型オフサルモスコープ。
【請求項１０】
前記ＯＣＴ参照ビームの光路長を変化させる手段が、前記走査の期間中に前記ＯＣＴ参照ビームの光路長を自動的に変化させて、走査の期間中に、前記光路長の変化を補償するように構成されたフィードバック・メカニズムを具えていることを特徴とする請求項１〜９のいずれかに記載の走査型オフサルモスコープ。
【請求項１１】
前記ＯＣＴ参照ビームの光路長を変化させる手段が、前記走査の期間中に前記ＯＣＴ参照ビームの光路長を、各サンプル間で、離散ステップで自動的に変化させる手段を具えていることを特徴とする請求項１〜１０のいずれかに記載の走査型オフサルモスコープ。
【請求項１２】
前記収差補償器が、可変位相遅延段を具え、これにより、前記ＯＣサンプルビームと前記ＯＣＴ参照ビームとの偏光状態を、走査全体を通して一致させることを特徴とする請求項１〜１１のいずれかに記載の走査型オフサルモスコープ。
【請求項１３】
前記可変位相遅延段が、前記光学系のＯＣＴ参照アーム(1303)内に設けられていることを特徴とする請求項１２に記載の走査型オフサルモスコープ。
【請求項１４】
前記可変位相遅延段が、波長板；一連の波長板；ソレイユバビネ補償器；ストレス誘導型複屈折コントローラ、のうちの１つを具えている
ことを特徴とする請求項１２または１３に記載の走査型オフサルモスコープ。
【請求項１５】
前記走査転送装置(20)が楕円面鏡を具えていることを特徴とする請求項１〜１４のいずれかに記載の走査型オフサルモスコープ。
【請求項１６】
前記網膜からの光反射を検出して、前記網膜の走査領域の像を生成するための光検出器をさらに具えていることを特徴とする請求項１〜１５のいずれかに記載の走査型オフサルモスコープ。
【請求項１７】
前記走査装置が、第１走査素子及び第２走査素子を具えていることを特徴とする請求項１〜１６のいずれかに記載の走査型オフサルモスコープ。
【請求項１８】
前記第２走査素子(15)の回転軸が、前記走査転送装置(20)の前記２つの焦点を結ぶ直線に略平行または略垂直であることを特徴とする請求項１７に記載の走査型オフサルモスコープ。
【請求項１９】
前記第１走査素子(14)の回転軸が、前記走査転送装置(20)の前記２つの焦点を結ぶ直線に略平行または略垂直であることを特徴とする請求項１７または１８に記載の走査型オフサルモスコープ。
【請求項２０】
前記ＯＣＴの前記放射源が、前記光路に沿った前記第１走査素子(14)の前方の位置に設けられていることを特徴とする請求項１７〜１９のいずれかに記載の走査型オフサルモスコープ。
【請求項２１】
前記ＯＣＴの前記放射源が、前記光路に沿った前記第１走査素子(14)の後方、かつ前記第２走査素子(15)の前方に設けられていることを特徴とする請求項１７〜１９のいずれかに記載の走査型オフサルモスコープ。
【請求項２２】
前記ＯＣＴの前記放射源が、別個の入力経路を介して設けられ、前記走査転送装置(20)を介して、前記コリメート光に対して任意の角度に指向されることを特徴とする請求項１〜２１のいずれかに記載の走査型オフサルモスコープ。
【請求項２３】
眼球の網膜を走査する方法であって、
仮想点光源からの二次元コリメート光走査を協働して行うコリメート光源及び走査装置を用意するステップと；
第１及び第２焦点(24)を有する走査転送装置(20)を用意するステップであって、前記第１焦点に前記仮想点光源が設けられ、前記第２焦点に眼球を置くことができ、前記走査転送装置(20)が、前記仮想点光源からの前記二次元コリメート光走査を前記眼球内に転送するステップと；
光学コヒーレンス・トモグラフィー（ＯＣＴ）システム(100)を用意するステップであって、当該ＯＣＴシステムが、ＯＣＴ参照ビーム及びＯＣＴサンプルビームを協働して提供する放射源及び光学系を具え、前記サンプルビームが、前記コリメート光源によって放出され前記走査転送装置(20)を通って伝搬する光の光路と同じ光路の少なくとも一部分に沿って伝搬するステップと；
前記走査装置及び前記走査転送装置によって走査角の関数として導入される前記ＯＣＴサンプルビームの系統的な収差及び／または波面変化を補償するステップと
を含み、
前記ＯＣＴサンプルビームの光路長と前記ＯＣＴ参照ビームの光路長とが前記走査全体を通して一致したままであるように、前記ＯＣＴ参照ビームの光路長を、前記走査装置によって実行される前記走査に同期した様式で変化させることを特徴とする方法。
【請求項２４】
前記収差を補償するステップが、前記ＯＣＴサンプルビームの波面を変化させて、前記走査装置及び前記走査転送装置によって導入される前記系統的な収差及び／または倍率変化を補償することを含むことを特徴とする請求項２３に記載の方法。
【請求項２５】
前記収差を補償するステップが、前記ＯＣＴサンプルビーム及び前記ＯＣＴ参照ビームの偏光状態が網膜走査の全範囲にわたって一致したままであるように、前記ＯＣＴの照射の位相を制御することを含むことを特徴とする請求項２３または２４に記載の方法。
【外国語明細書】
2018108400000001.pdf